(57)【特許請求の範囲】
【請求項１】
ダム堤体の内部下部とダム堤体の下流側とを連絡するトンネル構造の魚道を設け、該魚道上流部を堤体上流面に沿う鉛直通路と連絡して、該鉛直通路に昇降自在に搬送ケージを設け、また、前記鉛直通路に、ダム貯水池に面して鉛直に設けた搬送通路を併設し、さらに、前記鉛直通路上部と前記搬送通路上部とに渡って連絡部を設けて、該連絡部に前記搬送ケージを前記鉛直通路または前記搬送通路に切り替える移動装置を設け、該移動装置により、前記搬送ケージの巻上装置を移動させると共に前記搬送ケージを前記鉛直通路または前記搬送通路にそれぞれ進入させるようにしたことを特徴とするダム用魚搬送装置。
【請求項２】
前記搬送ケージの上流側側壁および下流側側壁を開閉自在に設けると共に、前記下流側側壁に水流発生装置の水噴射ノズルを取り付けたことを特徴とする請求項１に記載のダム用魚搬送装置。
【請求項３】
ダム堤体の内部下部とダム堤体の下流側とを連絡するトンネル構造の魚道を設け、該魚道上流部を堤体上流面に沿う鉛直通路と連絡して、該鉛直通路に昇降自在に第１の搬送ケージを設け、また、前記鉛直通路に、ダム貯水池に面して鉛直に設けた搬送通路を併設して、該搬送通路に昇降自在に第２の搬送ケージを設け、さらに、前記鉛直通路上部と前記搬送通路上部とに渡って連絡部を設け、また、前記第１の搬送ケージの上流側側壁を、該上流側側壁の下部を軸として前記第１の搬送ケージに回動自在に設けると共に前記鉛直通路の壁面で保持し、また、前記第２の搬送ケージの下流側側壁を、該下流側側壁の下部を軸として前記第２の搬送ケージに回動自在に設けると共に前記搬送通路の壁面で保持し、また、前記鉛直通路の壁面及び前記搬送通路の壁面は、前記連絡部の下部において連続していることを特徴とするダム用魚搬送装置。
【発明の詳細な説明】
【０００１】
【発明の属する技術分野】
ダム、堰等の河川横断構造物を構築した場合、これを境に上流側下流側の流水が遮断され、魚類の交流が断たれてしまうので、各種魚道が併設されることになる。そして、上流側の水位変動に耐えるように、上流側に調整用の水槽を設けたりする。数ｍの水位変動に対しては、セクター式魚道が堤体下流側に用意され、堰高の高い堰にはエレベータ式魚道が設置される。本発明は、高堤高のダムであって貯水面の水位変動が大きい場合に設置されるダム用魚搬送装置に関するものである。
【０００２】
【従来の技術】
従来、河川における遡上魚、降下魚がその時期になると遡上、降下を容易に行えるように魚道を取付けている。魚道は遡上、降下期だけ設置する場合もあるが、堰と併設することで常置される。
【０００３】
前述したセクター式魚道は、長尺の魚道本体の下流側に支点を置き、上流側を上下に回動自在にしたフロート付き階段式魚道装置を設置したものであり、上流水位が上昇するとフロートが上昇し、魚道本体の勾配が大きくなって水路が連続されるようになる。
エレベータ式魚道は収容箱をロープによって上流側と下流側との間を往復させ、遡上魚を収容箱に収容し上流側に放流するものである。収容箱を上流側定位置で開放して魚を放流する場合、上流側水位変動に対しては放流位置に調整用水槽を設け、ここから放流されることもあり、また、上流側定位置より直接放流されることもある。
【０００４】
【発明が解決しようとする課題】
ところで、高堤高のダムにおいては、適正勾配の階段式魚道を設けた場合には魚道の水路が非常に長くなり、エレベータ式魚道にして魚を搬送した方が有用である。
従来のエレベータ式魚道では、堤高４０ｍ位まで魚の搬送が可能であり、魚を収容したケージを上昇させ最上位で反転し、最上位近傍に配した調整用水槽に魚を放流する。調整用水槽では貯水池の水面と連絡させ遡上を容易にさせている。
しかしながら、貯水面の水位変動が大きい場合は調整用水槽で変動幅を吸収するには無理がある。また、セクター式魚道では最大６ｍ位の水位変動幅に対応できるが、それ以上の変動の大きいものには適していない。
このほか、本願出願人が提案したエレベータ式魚道（特願平７−２４２４５８号公報参照）は、ダムに設けた垂直架構にエンドレスのチェーンを配置し、チェーンに間隔を開けて収容箱を取り付け、魚を搬送するようにしたものである。この構成も最上部に調整水槽が設けられているので貯水面の水位変動が大きい場合には不適である。
また、特願平７−１４５６６９号では、高堤高のダム上流側に貯水池に面してエレベータ式魚道がダムの高所まで設けられ、ここからダム下流側に固定式の階段式魚道を設け、降下魚の降下を容易にさせている。しかしながら、階段式魚道がダムの高所まで構築され、魚の遡上が容易とはいえないものであった。
【０００５】
本発明は、高堤高のダムにおいて魚の遡上、降下を確実に支援できるようにしたダム用魚搬送装置を提供することを目的とする。
【０００６】
【課題を解決するための手段】
本発明は上記目的を達成するために、請求項１に記載した発明は、ダム堤体の内部下部とダム堤体の下流側とを連絡するトンネル構造の魚道を設け、該魚道上流部を堤体上流面に沿う鉛直通路と連絡して、該鉛直通路に昇降自在に搬送ケージを設け、また、前記鉛直通路に、ダム貯水池に面して鉛直に設けた搬送通路を併設し、さらに、前記鉛直通路上部と前記搬送通路上部とに渡って連絡部を設けて、該連絡部に前記搬送ケージを前記鉛直通路または前記搬送通路に切り替える移動装置を設け、該移動装置により、前記搬送ケージの巻上装置を移動させると共に前記搬送ケージを前記鉛直通路または前記搬送通路にそれぞれ進入させるようにしたことを特徴とする。
【０００７】
請求項２に記載した発明は、請求項１に記載した発明において、前記搬送ケージの上流側側壁および下流側側壁を開閉自在に設けると共に、前記下流側側壁に水流発生装置の水噴射ノズルを取り付けたことを特徴とする。
【０００８】
また、請求項３に記載した発明は、ダム堤体の内部下部とダム堤体の下流側とを連絡するトンネル構造の魚道を設け、該魚道上流部を堤体上流面に沿う鉛直通路と連絡して、該鉛直通路に昇降自在に第１の搬送ケージを設け、また、前記鉛直通路に、ダム貯水池に面して鉛直に設けた搬送通路を併設して、該搬送通路に昇降自在に第２の搬送ケージを設け、さらに、前記鉛直通路上部と前記搬送通路上部とに渡って連絡部を設け、また、前記第１の搬送ケージの上流側側壁を、該上流側側壁の下部を軸として前記第１の搬送ケージに回動自在に設けると共に前記鉛直通路の壁面で保持し、また、前記第２の搬送ケージの下流側側壁を、該下流側側壁の下部を軸として前記第２の搬送ケージに回動自在に設けると共に前記搬送通路の壁面で保持し、また、前記鉛直通路の壁面及び前記搬送通路の壁面は、前記連絡部の下部において連続していることを特徴とする。
【０００９】
【発明の実施の形態】
まず、高堤高のダムの貯水池側に面して操作室を突出させ、その下方に基礎コンクリートの上面を形成させる。操作室下部と基礎コンクリートの上面との間に架構を設け、垂直に鉛直通路と搬送通路を形成させる。搬送通路は鋼製またはコンクリート製でも良いが、鉛直通路は基礎コンクリートの内部を貫通している。鉛直通路および搬送通路の内部は搬送ケージが昇降するもので、鉛直通路の下端は集魚槽を介して下流側から延長したトンネル構造の魚道と連絡する。
【００１０】
トンネル構造の魚道は管状水路となり、通路断面は側壁が垂直にされ天井部が丸くされている。魚道の上流側と下流側に高低差がでる場合は内部において階段式魚道とするのが好適である。また、貯水池から水を引き、減勢して通路の流水、呼び水とする。また、集魚槽には魚類追い込み装置を備えているので、遡上してきた魚は魚類追い込み装置により確実に搬送ケージに収容される。
【００１１】
搬送ケージは第１の構成として、操作室下部において水平に移動し、鉛直通路または搬送通路の上方に位置させ、いずれの通路にでも昇降可能にさせる。あるいは第２の構成として、鉛直通路および搬送通路に独自に搬送ケージを配設する。
【００１２】
第１の構成の搬送ケージは、遡上魚を運搬する場合は、鉛直通路の下端から上昇、操作室で横方に移動、搬送通路を降下という順に動き、鉛直通路の下端では下流側側壁が開口し、搬送通路では上流側側壁が開口する。また、降下魚に対応するために搬送ケージに散水装置と集魚ランプを取り付けることのほか、搬送ケージが貯水池水面に停止しているときに、搬送ケージ内で、水流発生装置の水噴射ノズルから上流側に向けてジェット流を噴射させ魚に刺激を与える。
【００１３】
第２の構成において鉛直通路の搬送ケージは、下流側側壁が開口可能にされ、上流側側壁が傾倒して搬送通路へのシュートとなる。また、搬送通路の搬送ケージは、上流側側壁が開口可能にされ、下流側側壁が傾倒して鉛直通路へのシュートとなる。
【００１４】
集魚ブロックは搬送通路に支持され、貯水池水面に浮かび、孔開き鋼管からシャワーを流出し、魚を誘導する。また、夜間において集魚用ランプを点灯して集魚効果を上げる。
【００１５】
【実施例】
以下、本発明の実施例を添付図面に基づいて説明する。図１に示すように、高堤高のダム１は、下流側が傾斜され上流側は貯水池２に面して垂直壁面を形成した堤体３を備え、基礎コンクリート４が堤体３の上流側下部に打ち込まれている。また、堤体３の上面には操作室５が堤頂道路面と同一レベルに床面を持って設置され、操作室５は貯水池２側に張り出しており、基礎コンクリート４の上方に位置されている。また、堤体３の下部下流側には副ダム６が設けられ、堤体３と副ダム６との間は洪水吐減勢工とされている（図２、図３参照）。
【００１６】
堤体３の下部にはトンネル構造の魚道７が設けられ、魚道７の入口は図３に示すように、洪水吐減勢工の上流側に設け（あるいは副ダム６の直下流）、水流方向に対して斜めに接続されており、入口には制水ゲート８（洪水時には閉塞し、また、緊急時に閉塞する。）が配置されている。魚道７に沿って設けた呼び水配管９はその吐出口を洪水吐減勢工の流路に向けられている。魚道７は入口から上流側に斜めに延び、少し進んだ箇所で湾曲させて本流に平行に構築され、上流部で集魚槽１０と接続されている。
この魚道７は魚類遡上に適した勾配をもち、間隔をあけて隔壁１１が設置されている（図１２参照）。また、天井には一定間隔に照明ライト１２が付設されている。また、魚道７の内部の水路に沿い、複数の隔壁１１の上部に架設して管理用の歩道１３が備えられている（図１１、図２１参照）。なお、水路は円形内張り鋼管で形成することも可能である。
【００１７】
集魚槽１０の上流端はエレベータ式魚道装置１４の搬送ケージ１５の移動最下端と底面の高さを同じにして接続されており、搬送ケージ１５の最下端の載置箇所に沿う壁面には減勢工１６が設けられている。また、エレベータ式魚道装置１４は、基礎コンクリート４に穿設され、さらに上方の操作室５に延長された下流側の鉛直通路１７と、隣接する上流側の搬送通路１８を備えている。
鉛直通路１７は円筒鋼板により水中に没する円筒型の密閉構造とし、補強材を装着して水圧、および地震時、動水圧、操作室自重に耐えるようにしている。
搬送通路１８は円管鋼材によるトラス構造とし、操作室５から基礎コンクリート４の上面に架構されている。平面スペースは搬送ケージ１５の昇降に支障のない大きさとし、搬送通路１８の上流構造面には扁平形円管を水平に配し、左右の主柱を連結している。
また、図１６に示すように、両通路１７、１８間は連結材１９で固定し、鉛直通路１７と堤体上流側壁面３ａとの間には、一方を堤体上流側壁面３ａに碇着させ、他方は鉛直通路１７に支持した受け桁２０を配している。
【００１８】
また、図１に示すように、搬送ケージ１５は操作室５に移動自在に設けた巻上装置２１により、鉛直通路１７または搬送通路１８内を昇降することができるようになっている。このほか、魚道７、集魚槽１０に必要とされる水を供給する流水供給装置２２が堤体３内に設けられ、上流側の搬送通路１８には、搬送通路１８の側面架構に係着し、シャワーや照明により魚を誘導する集魚ブロック２３が備えられている。
【００１９】
次に、各部の詳細を説明する。
図４ないし図６に示すように、操作室５の内壁面には対向して棚２４が形成され、棚２４にレール２５が敷設されている。巻上装置２１はレール２５に載置され、モータ２６により走行自在にされている。また、巻上装置２１は駆動モータ２７とドラム２８を備え、ドラム２８に巻回されたワイヤー２９により搬送ケージ１５を吊り下げている。そして、巻上装置２１が鉛直通路１７または搬送通路１８の上方に停止したときに搬送ケージ１５を昇降させるようになっている。
また、搬送ケージ１５は鋼板製の箱形を呈しているが、上流側側壁１５ａおよび下流側側壁１５ｂは鉛直通路１７の断面形状に則した湾曲した形状となっており、出来るだけ魚類を多く収容する大きさにしている。そして、搬送ケージ１５の上面に滑車３０が設けられてワイヤー２９が巻回され、上流側側壁１５ａおよび下流側側壁１５ｂは上下方向に移動自在にされ、開閉装置３１がそれぞれの上面枠に取り付けられている。また、図２０に示すように、中央天井部に散水装置３２および集魚用ランプ３３が設けられている。
【００２０】
搬送ケージ１５には図７ないし図９に示す水流発生装置３４を併設している。
搬送ケージ１５の下流側側壁１５ｂは前述した通り、上下方向に移動自在にされており、下流側側壁１５ｂの上端に円弧状に水平管３５が固定され、水平管３５からは噴射管３６が垂下し、噴射管３６は略水平に、かつ、互いに平行にして水噴射ノズル３６ａを複数配置されている。また、水平管３５にはフレキシブル管３７が接続され、その終端は搬送ケージ１５の上部に設けた揚水ポンプ３７ａに接続される。
【００２１】
図１０、図１１に示すように、流水供給装置２２は貯水池２の基礎コンクリート４の上端付近（貯水池２の最低水位の下部）に開口する導水管３８から貯水池２の水を取水し、供給管３９により定量を放出させる。流水供給装置２２内部には流量設定弁、シリンダ、圧力調整弁が配置され、放出する魚道流量と呼び水流量の合計量を制御している。
【００２２】
一方、鉛直通路１７の下端に設けた減勢工１６は供給管３９と接続されるが、供給管３９は図１１、図１２に示すように、鋼板製の減勢工１６の最下部の隔室に延長され端部を閉塞し、供給管３９の管周面に複数開けたオリフィス４０を介して連通させている。
減勢工１６は図１１ないし図１４に示すように、高さ方向に５〜６段の箱形室を形成しており、各段の天井部には多数のオリフィス４０を有する阻流板４１が複数設置されている。減勢工１６の最上段は貯溜となり切欠部４２を設けた側面から水が鉛直通路１７の中央部に向かって落下するようになっている。なお、組み付け上、オリフィス４０の位置関係はランダムである。また、供給管３９に呼び水配管９が接続されている。
【００２３】
図１２に示すように、トンネル構造の魚道７に連絡されている集魚槽１０は略水平に設けられ、左右上端には上下流方向にレール４３が敷設され、魚類の追い込み装置４４が走行可能に載置されている。追い込み装置４４には櫓が組まれ、金網付き格子枠４５を上下移動自在に設け、この格子枠４５を操作する駆動モータ４６が備えられている。なお、図１５に示すように、格子枠４５の幅はほぼ集魚槽（魚道７）１０の幅とされ、駆動モータ４６により格子枠４５を降下させると集魚槽１０の内部が上流側、下流側に区別され、そのまま、水中に入れて走行することができる。
【００２４】
次に、搬送通路１８に設置する集魚ブロック２３について図１６ないし、図１９を参照して説明する。
集魚ブロック２３は鋼製の浮体構造でフロート４７により支持され、搬送通路１８の主柱に形成したレール４８と上下動自在に係合させたものである。主柱と係合する金具４９はフロート４７の上下左右４か所に設けられ、また、孔開き鋼管５０が横方に延設され、装備したポンプ５１によって貯水池２の水を吸い上げ、孔開き鋼管５０から散水するようになっている。また、集魚用ランプ３３が支持枠に取り付けられている。
【００２５】
図１６に示すように、集魚ブロック２３は平面四角状の搬送通路１８の両側に設けられ、孔開き鋼管５０の中間部はフロート４７に支持され、孔開き鋼管５０の両方の先部は内側に曲げられて取り付けられている。なお、孔開き鋼管５０の先部とフロート４７との間に隙間ができるのでここには魚進入防止用金網５２が取り付けられている。また、貯水池２側の孔開き鋼管５０の先部は折曲部を回動可能に設け、常時、折曲状態にさせている。
【００２６】
ところで、貯水池２の規模、魚の棲息状態によっては人工水路５３を搬送通路１８に限定期間、接続することもある。人工水路５３を接続するときは、孔開き鋼管５０の先部は中間部と直線状に配置し人工水路５３の側面と合わせる。
なお、人工水路５３は貯水池２のさらに上流側と搬送通路１８との間にフロートで支持されて掛け渡され、要所に水車を備え、ソーラー発電で回転させ、人工水路５３の流れを作っている。
【００２７】
以上のように構成した魚搬送装置は、ダム１の貯溜水が流水供給装置２２によって常に、集魚槽１０、魚道７および呼び水用に、水圧力が減勢され適正流速をもつ水流となって供給されている。供給水は供給管３９のオリフィス４０から減勢工１６の最下部室に流入すると共に、供給管３９から分岐して呼び水として呼び水配管９に流れる。
最下部室に流入した水は、減勢工１６の下部室の天井に形成したオリフィス４０を経て、これより上部の阻流板４１のオリフィス４０を通過し、さらに水圧が減じられ、減勢工１６の最上端の切欠部４２から溢流水となって集魚槽１０に落下させるようにする。そして、集魚槽１０に落下した流水はそのまま魚道７に流下される。
呼び水配管９に流れる呼び水は魚道７の出口の水路方向に沿って貯溜水面に放出させ遡上魚の誘導と集魚を行わせる。
【００２８】
また、追い込み装置４４は下流側に位置して格子枠４５は引き上げられ、搬送ケージ１５は鉛直通路１７の下端に位置させ、搬送ケージ１５の下流側側壁（湾曲側壁）１５ｂは上部に引き上げられている。
【００２９】
遡上魚は呼び水と魚道７の流水に刺激され、魚道７を遡上し集魚槽１０と搬送ケージ１５内を遊泳している。この状態が一定時間経過した後、追い込み装置４４の格子枠４５を水中に降下させ、追い込み装置４４を鉛直通路１７の下端側に移動し、追い込み装置４４により遡上してきた魚類を確実に搬送ケージ１５に収容する。
【００３０】
次に、搬送ケージ１５の下流側側壁１５ｂを水中に降下させることで、魚類を確実に搬送ケージ１５に収容する。搬送ケージ１５は巻上装置２１により、上昇させ、操作室５の直下方の空間で搬送通路１８に移行させ、搬送通路１８内を降下させる。そして、搬送通路１８内の貯水池２の水面水中に定置させ、搬送ケージ１５の上流側側壁１５ａを開ける。このとき、水流発生装置３４を作動させてジェット水流を搬送ケージ１５の外側に向けて噴射し魚に刺激を与え、搬送ケージ１５内の遡上魚を誘い出すようにしている。降下魚においては、水流発生装置３４は集魚ブロック２３と共に魚を搬送ケージ１５内に誘い込む働きをする。なお、水流発生装置３４は搬送ケージ１５の流水を補給することができる。
この後、搬送ケージ１５は逆の手順で鉛直通路１７の下限位置に配置し、追い込み装置４４は下流側に配置して、再度、同工程を繰り返す。
【００３１】
また、図１に示すように、搬送通路１８に人工水路５３を接続しているが、人工水路５３の下流側扉は搬送ケージ１５が同じ高さに停止されていない間は閉めておき、搬送ケージ１５が停止し、搬送ケージ１５の上流側側壁１５ａを開けたときに開放し、一定時間放置しておく。遡上魚は人工水路５３に生じる水流に刺激され、人工水路５３を上って行くことになる。
【００３２】
次に、降下魚を対象として説明する。
貯水池２の搬送通路１８に係着している集魚ブロック２３は水面上に浮かび、シャワーを噴射し、水音を発生させることによって魚を刺激させ、搬送通路１８付近に魚を誘導する。搬送通路１８付近で遊泳している魚は、水面上に停止している搬送ケージ１５内の集魚用ランプ３３、散水装置３２および、水流発生装置３４の作動により刺激され搬送ケージ１５内に入ってくる。一定時間後、搬送ケージ１５の上流側側壁１５ａを閉め、集魚用ランプ３３、散水装置３２を停止する。これにより、搬送ケージ１５内に降下魚を収容できる。そして、搬送通路１８を上昇し、操作室５内を移動し、鉛直通路１７を下降させ、最下端で停止させる。ここで搬送ケージ１５の下流側側壁１５ｂを開け、降下魚を集魚槽１０に放流し魚道７の流れに沿って降下させる。この場合には追い込み装置４４は操作しない。この後、逆の手順で搬送ケージ１５を貯水池２の水面に配置する。
【００３３】
本案の魚搬送装置は高落差を消化するため、堤体３内部で緩い傾斜のトンネル構造の魚道７と、エレベータ式魚道を組み合わせたものであり、また、貯水池２の下位から魚道７用の水を確保するので、減勢工１６を使用して十分な水量を得ているものである。また、上流貯水面の水位変動はエレベータ式魚道により対処できるものであり、高落差を有するダム１であっても、遡上魚、降下魚を効率よく搬送することができる。
従来の発電専用ダム、多目的の比較的中堤高ダムにおいて、下流から魚道勾配をもって、必要高さ地点まで延々と魚道を構築するものは水位変動に不利であり、また、セクター式魚道で水位変動に追従しようとすると、変動幅に相当する高さの魚道水路を設ける必要があり、変動幅６ｍ程度しか対応できず、本案の優位性は既に述べた通りである。
【００３４】
また、従来、河川横断構造物に付設される魚道の流水は構造物前面の貯水面水位より水位変動に追従するゲートを介して開水路流として魚道に流入されているが、本案の場合は貯水位に変動があっても一定流量を取水し流下させる装置を有し、装置から導水した圧力水は魚道７の最上上流部に付設した減勢工１６に導入し、減勢された後は通常の流水として魚道７に流出できる。
【００３５】
次に、鉛直通路１７および搬送通路１８にそれぞれ搬送ケージ１５を設ける構成について図２２ないし図２４を参照して説明する。
図２３に示すように、操作室５には巻上装置２１が２基、設けられており、それぞれ搬送ケージ１５を吊り下げている。２つの搬送ケージ１５の間には案内壁５４が設けられ、案内壁５４の先端は丸くなり、操作室５の直下方に連絡部としての空間を形成させ鉛直通路１７と搬送通路１８とを連通させるようになっている。搬送ケージ１５の平面形状は角形であり、案内壁５４側に三方扉５５が設けられ、反対側に側壁扉１５ｃが配され開閉装置３１が設けられている。
【００３６】
三方扉５５は下端を軸支（ヒンジ５６）し案内壁５４側に倒れるようになっており、倒れ面の縁部は直角に曲げられ凹状を呈し、倒れ面先部にはローラ５７および水密ゴム５８が設けられ、案内壁５４に設けたレール５９と接触させている。また、搬送ケージ１５の水槽上部は三方扉５５側を除き三方に金網を設けている。また、搬送ケージ１５は、両通路１７、１８の横方に形成したガイド溝６０に、下部に取り付けたローラ６１を接合させるので昇降時の揺動を防いでいる。
【００３７】
上記の構成によって、搬送ケージ１５が遡上魚を収容して鉛直通路１７を上昇する場合には、図２３に示すように、搬送通路１８の搬送ケージ（第２の搬送ケージ）１５を案内壁５４の先部に待機させておく。そして、鉛直通路１７の搬送ケージ（第１の搬送ケージ）１５が案内壁５４の先部に近づくと、ローラ５７および水密ゴム５８が円弧状に形成されたレール５９に導かれて変移し、搬送ケージ１５の三方扉５５が傾倒する。これにより、収容された魚は水と一緒に搬送通路１８の搬送ケージ１５に向かって放流される。搬送通路１８の搬送ケージ１５に遡上魚が収容されれば、この搬送ケージ１５を降下することで、遡上魚を上流に放流することができる。このとき、水密ゴム５８は搬送ケージ１５内の水を放流するときに架構内に漏れないようにし、金網は魚類受け渡しのときの魚の搬送ケージ１５外への逸脱を防ぐものである。
【００３８】
集魚ブロック２３は前述したエレベータ式魚道装置１４の搬送通路１８に設置して魚を刺激させ、特に降下魚に対して有効であり、孔開き鋼管５０からフラッシング散水を行い水面に音をたてることにより集魚作用を起こさせる。また、夜間は集魚用ランプ３３を点灯することにより降下魚を誘導することができる。
【００３９】
集魚ブロック２３の他の構成として、図１９に示すように、基礎コンクリート４の張り出し部に鉛直通路１７と搬送通路１８を壁面に沿って並設した場合、鉛直通路１７と搬送通路１８との接続側には、孔開き鋼管５０の先部のみを装着した集魚ブロック２３を配することになる。
【００４０】
また、図２５に示すように、基礎コンクリート４の張り出し部を横方に長く作り、鉛直通路１７を鋼管製にして搬送通路１８と壁面に沿って並設する構成でもよく、より安定した構造にし、施工経費を安価にすることができる。また、図２６、図２７に示すように、鋼材、鋼管で製作した鉛直通路１７をコンクリートで固める構造でも良く、また、鉛直通路１７および、搬送通路１８は状況に応じ鋼製またはコンクリート製にすることができる。
【００４１】
【発明の効果】
本発明は、以上のように、堤体内に設けたトンネル構造の魚道とエレベータ式魚道により魚搬送装置を構成したものであるので、上流水位の変動に対応して魚の遡上および、降下をし易くすることができるようになった。また、堤内魚道において入口から集魚槽までを円形の内張り鋼板で魚道を形成することにより、施工の際に施工費を低減できるものである。そして、高ダムの堤高に対応するための設備費は、従来の施工方法に比べ低減でき、しかも、魚道（魚搬送装置）は堤体に内蔵され、かつ、堤体上流壁面に沿う形状となるので、周辺構造物と比較して違和感がなく、景観を損なわないという利点がある。
【図面の簡単な説明】
【図１】  本発明による実施例の魚搬送装置を備えた高ダムの側断面図である。
【図２】  図１に示す高ダムの上流側からみた正面図である。
【図３】  図１に示す高ダムの平面図である。
【図４】  実施例の魚搬送装置の搬送ケージの移動手段を示す側断面図である。
【図５】  図４に示す搬送ケージの移動手段の側断面図である。
【図６】  図４に示す搬送ケージの移動手段の平面図である。
【図７】  搬送ケージに装着する水流発生装置の正面図である。
【図８】  図７に示す水流発生装置の側断面図である。
【図９】  図７に示す水流発生装置の平面図である。
【図１０】  実施例の流水供給装置の断面図である。
【図１１】  図１０に示す流水供給装置の平面図である。
【図１２】  実施例の堤体の集魚槽付近の断面図である。
【図１３】  減勢工の正面図である。
【図１４】  図１３に示す減勢工の側断面図である。
【図１５】  実施例の集魚槽付近の横断断面図である。
【図１６】  実施例のエレベータ式魚道の平面図である。
【図１７】  図１６に示す集魚ブロックの側面図である。
【図１８】  図１６に示す集魚ブロックの正面図である。
【図１９】  実施例の他の集魚ブロックの平面図である。
【図２０】  実施例のエレベータ式魚道の搬送ケージの側面図である。
【図２１】  実施例のトンネル構造の魚道の断面図である。
【図２２】  実施例のエレベータ式魚道の搬送ケージの支持構造を示す平面図である。
【図２３】  実施例のエレベータ式魚道の操作室付近の断面図である。
【図２４】  実施例のエレベータ式魚道の支持構造を示す平面図である。
【図２５】  エレベータ式魚道の配置を示す平面図である。
【図２６】  エレベータ式魚道の他の配置を示す平面図である。
【図２７】  エレベータ式魚道の他の配置を示す平面図である。
【符号の説明】
１  ダム，３  堤体，７  魚道，１０  集魚槽，１５  搬送ケージ，１７  鉛直通路，１８  搬送通路，２１  巻上装置，２２  流水供給装置，２３  集魚ブロック，２５  レール（移動装置），３２  散水装置，３３  集魚用ランプ，４７  フロート，５０  孔開き鋼管，５４  案内壁，５６  ヒンジ
【図１】
0003831826.tif 000002
【図２】
0003831826.tif 000003
【図３】
0003831826.tif 000004
【図４】
0003831826.tif 000005
【図５】
0003831826.tif 000006
【図６】
0003831826.tif 000007
【図７】
0003831826.tif 000008
【図８】
0003831826.tif 000009
【図９】
0003831826.tif 000010
【図１０】
0003831826.tif 000011
【図１１】
0003831826.tif 000012
【図１２】
0003831826.tif 000013
【図１３】
0003831826.tif 000014
【図１４】
0003831826.tif 000015
【図１５】
0003831826.tif 000016
【図１６】
0003831826.tif 000017
【図１７】
0003831826.tif 000018
【図１８】
0003831826.tif 000019
【図１９】
0003831826.tif 000020
【図２０】
0003831826.tif 000021
【図２１】
0003831826.tif 000022
【図２２】
0003831826.tif 000023
【図２３】
0003831826.tif 000024
【図２４】
0003831826.tif 000025
【図２５】
0003831826.tif 000026
【図２６】
0003831826.tif 000027
【図２７】
0003831826.tif 000028